(57)【要約】  相互変調歪が抑制されたアンテナ分波器を提供する。  アンテナ分波器１００は、アンテナ端子Ａｎｔ．と、第１の通過帯域を有する第１のフィルタ回路１と、第１の通過帯域を含まず、かつ、第１の通過帯域よりも周波数帯域がより高い第２の通過帯域を有する第２のフィルタ回路２とを備え、アンテナ端子Ａｎｔ．と、第１のフィルタ回路１と、第２のフィルタ回路２とが第１の接続点Ｊ１で接続され、第２のフィルタ回路２は、縦結合型共振子型フィルタ回路２Ａ、２Ｂを備え、第１の接続点Ｊ１と縦結合型共振子型フィルタ２Ａ、２Ｂとの間に共振子３Ａ、３Ｂが挿入され、共振子３Ａ、３Ｂと縦結合型共振子型フィルタ２Ａ、２Ｂとの接続点である第２の接続点Ｊ２Ａ、Ｊ２Ｂと、接地電位との間に、第２の通過帯域に阻止帯域を有する低周波数帯域通過回路４Ａ、４Ｂが挿入されている。
2014061694.tif 000002
【特許請求の範囲】
【請求項１】
アンテナ端子と、
第１の通過帯域を有する第１のフィルタ回路と、
前記第１の通過帯域を含まず、かつ、前記第１の通過帯域よりも周波数が高い第２の通過帯域を有する第２のフィルタ回路と、を備え、
前記アンテナ端子と、前記第１のフィルタ回路と、前記第２のフィルタ回路とが第１の接続点で接続されたアンテナ分波器であって、
前記第２のフィルタ回路は、縦結合型共振子型フィルタ回路を含み、
前記第１の接続点と前記縦結合型共振子型フィルタ回路との間に挿入される共振子と、
前記共振子と前記縦結合型共振子型フィルタ回路との接続点である第２の接続点と、接地電位との間に挿入され、かつ、前記第２の通過帯域に阻止帯域を有する低周波数帯域通過回路とを備えるアンテナ分波器。
【請求項２】
前記第２のフィルタ回路の前記縦結合共振子型フィルタ回路は、第１の縦結合共振子型フィルタと第２の縦結合共振子型フィルタとを含むバランス型の縦結合共振子型フィルタ回路であって、
前記共振子は、互いに実質的に同様な周波数特性を有する第１の共振子と第２の共振子とを含んでおり、
前記低周波数帯域通過回路は、互いに実質的に同様な周波数特性を有する第１の低周波数帯域通過回路と第２の低周波数帯域通過回路とを含んでおり、
前記第１の接続点と、前記第１の共振子と、前記第２の共振子とが第３の接続点で接続され、
前記第２の接続点は、前記第１の共振器と前記第１の縦結合共振子型フィルタとの接続点である一方の第２の接続点と、前記第２の共振器と前記第２の縦結合共振子型フィルタとの接続点である他方の第２の接続点とを含み、
前記一方の第２の接続点と、接地電位との間に、前記第１の低周波数帯域通過回路が挿入され、
前記他方の第２の接続点と、接地電位との間に、前記第２の低周波数帯域通過回路が挿入されている、請求項１に記載されたアンテナ分波器。
【請求項３】
前記第２のフィルタ回路の前記縦結合共振子型フィルタ回路は、バランス型の縦結合共振子型フィルタ回路であって、第１の縦結合共振子型フィルタと第２の縦結合共振子型フィルタとを含んでおり、
前記共振子と、前記第１の縦結合共振子型フィルタと、前記第２の縦結合共振子型フィルタとが第２の接続点で接続され、
前記低周波数帯域通過回路は、前記第２の接続点と、接地電位との間に挿入されている、請求項１に記載されたアンテナ分波器。
【請求項４】
前記低周波数帯域通過回路が、インダクタンス素子である、請求項１〜３のいずれか1項に記載されたアンテナ分波器。
【請求項５】
前記第１のフィルタ回路が送信側フィルタ回路であり、前記第２のフィルタ回路が受信側フィルタ回路である、請求項１〜４のいずれか1項に記載されたアンテナ分波器。
【発明の詳細な説明】
【技術分野】
【０００１】
本発明はアンテナ分波器に関し、さらに詳しくは、相互変調歪が抑制されたアンテナ分波器に関する。
【背景技術】
【０００２】
携帯電話などの移動体通信機器において、１つのアンテナを送信と受信の両方に共用するための電子部品として、アンテナ分波器（デュプレクサ）が広く活用されている。【０００３】
図９に、特許文献１（特開２００５−１８４１４３号公報）に開示された従来のアンテナ分波器４００を示す。【０００４】
アンテナ分波器４００は、アンテナ端子１０１を備える。【０００５】
アンテナ端子１０１は、接続点Ｊに接続されている。【０００６】
接続点Ｊは、送信側フィルタ回路１０２に接続されている。送信側フィルタ回路１０２は、ラダー型（ＳＡＷ）フィルタ回路により構成されている。【０００７】
また、接続点Ｊは、共振子１０３を介したうえで、受信側フィルタ回路１０４に接続されている。受信側フィルタ回路１０４は、縦結合共振子型ＳＡＷフィルタ回路により構成されている。【０００８】
以上の構成からなるアンテナ分波器４００は、受信側フィルタ回路１０４の縦結合共振子型フィルタ回路のアンテナ側に共振子１０３を挿入したことを特徴としている。【０００９】
アンテナ分波器４００には、アンテナ端子１０１と受信側フィルタ回路１０４とに共振子１０３が直列に挿入されている。共振子１０３の反共振点を送信側回路の通過帯域に配置することで、受信側回路にとって不要な帯域において高インピーダンス特性とすることができ、高減衰量を得ることができる。その結果として、送信側回路における通過帯域内の挿入損失の悪化を抑え、送信側回路の低損失特性を得る効果を奏するものとされている。
【先行技術文献】
【特許文献】
【００１０】
【特許文献１】特開２００５−１８４１４３号公報
【発明の概要】
【発明が解決しようとする課題】
【００１１】
しかしながら、特許文献１に開示されたアンテナ分波器４００の構成では、縦結合共振子型フィルタ回路において、相互変調歪（ＩＭＤ：Inter Modulation Distortion）が発生し、歪特性が悪化するという課題、問題点があった。【００１２】
相互変調歪は、次の仕組みで発生する。【００１３】
すなわち、送信側回路（ラダー型フィルタ回路）から送られてくる信号など、詳細には、受信側回路に含まれる素子の非線形特性などによって受信周波数帯域内またはその近傍に相互変調歪を発生させる周波数領域を持つ受信周波数帯域に比べて低周波の信号（以下総称して低周波の成分という）が、受信回路側に入り込んでくる。受信側回路は、共振子、縦結合共振子型ＳＡＷフィルタ回路を備えているが、所望の受信周波帯域のみならず、低周波の成分の一部が共振子を通過し、縦結合共振子型フィルタ回路にまで到達してしまう。【００１４】
そして、縦結合共振子型フィルタ回路にまで到達した低周波の成分は、所望の受信周波数帯域と相互に干渉して相互変調歪による歪信号を引き起こす。特に、特許文献１に開示されたアンテナ分波器４００の構成では、インピーダンス不整合による信号の反射などで低周波の成分が共振子と縦結合共振子型フィルタ回路の間に閉じこめられてしまう構造であるため、相互変調歪による歪信号が発生しやすい問題があった。【００１５】
なお特に、送信側回路の通過帯域をＴｘ、受信側回路の通過帯域をＲｘで示した場合に、Ｒｘの通過帯域より低い周波数帯域を持つＴｘ信号が受信回路側に入り込んできた場合に、受信側回路の通過帯域Ｒｘ内や受信側回路の通過帯域に近傍してＩＭＤによる歪信号が発生する問題があった。
【課題を解決するための手段】
【００１６】
本発明は、相互変調歪の発生が抑制できるアンテナ分波器を提供することを目的とする。【００１７】
その手段として、本発明のアンテナ分波器は、アンテナ端子と、第１の通過帯域を有する第１のフィルタ回路と、第１の通過帯域を含まず、かつ、第１の通過帯域よりも周波数が高い第２の通過帯域を有する第２のフィルタ回路とを備え、アンテナ端子と、第１のフィルタ回路と、第２のフィルタ回路とが第１の接続点で接続され、第２のフィルタ回路は、縦結合型共振子型フィルタ回路を含み、第１の接続点と縦結合型共振子型フィルタ回路との間に挿入される共振子と、共振子と縦結合型共振子型フィルタ回路との接続点である第２の接続点と、接地電位との間に挿入され、かつ、第２の通過帯域に阻止帯域を有する低周波数帯域通過回路と、を備えることを特徴とする。【００１８】
本発明のアンテナ分波器は、たとえば、第２のフィルタ回路の縦結合共振子型フィルタ回路が、バランス型の縦結合共振子型フィルタ回路であって、第１の縦結合共振子型フィルタと第２の縦結合共振子型フィルタとを含み、共振子が、互いに実質的に同様な周波数特性を有する第１の共振子と第２の共振子とを含み、低周波数帯域通過回路が、互いに実質的に同様な周波数特性を有する第１の低周波数帯域通過回路と第２の低周波数帯域通過回路とを含み、第１の接続点と、第１の共振子と、第２の共振子とが第３の接続点で接続され、第２の接続点が、第１の共振器と第１の縦結合共振子型フィルタとの接続点である一方の第２の接続点と、第２の共振器と第２の縦結合共振子型フィルタとの接続点である他方の第２の接続点とを含み、一方の第２の接続点と、接地電位との間に、第１の低周波数帯域通過回路が挿入され、他方の第２の接続点と、接地電位との間に、第２の低周波数帯域通過回路が挿入されたものとすることができる。この場合には、第１の縦結合共振子型フィルタの特性と、第２の縦結合共振子型フィルタの特性とのばらつきにより生じるバランス信号の平衡度の悪化を、第１の低周波数帯域通過回路の特性と、第２の低周波数帯域通過回路の特性とを調整することにより是正することができる。【００１９】
また、本発明のアンテナ分波器は、たとえば、第２のフィルタ回路の縦結合共振子型フィルタ回路が、バランス型の縦結合共振子型フィルタ回路であって、第１の縦結合共振子型フィルタと第２の縦結合共振子型フィルタとを含み、共振子と、第１の縦結合共振子型フィルタと、第２の縦結合共振子型フィルタとが第２の接続点で接続され、低周波数帯域通過回路が、第２の接続点と、接地電位との間に挿入されたものとすることができる。この場合には、共振子および低周波数帯域通過回路がそれぞれ単独であるため、これらを複数にした場合の、共振子ごとの特性ばらつきや、低周波数帯域通過回路ごとの特性ばらつきを問題にすることなく、共通の低周波数帯域通過回路の特性を調整することにより、バランス信号の平衡度を是正することができる。【００２０】
また、本発明のアンテナ分波器は、たとえば、低周波数帯域通過回路を、インダクタンス素子で構成することができる。【００２１】
また、本発明のアンテナ分波器は、たとえば、第１のフィルタ回路を送信側フィルタ回路とし、第２のフィルタ回路を受信側フィルタ回路とすることができる。
【発明の効果】
【００２２】
本発明のアンテナ分波器は、上述した構成としたため、縦結合共振子型フィルタ回路における相互変調歪が改善されている。【００２３】
すなわち、上述した低周波の成分を、共振子と縦結合共振子型フィルタ回路との間の接続点と、接地電位との間に配置された低周波数帯域通過回路によって接地電位に逃がすことができる。この結果、低周波の成分が、共振子と縦結合共振子型フィルタ回路の間に閉じこもってしまうことがなくなり、低周波の成分によって引き起こされていた縦結合共振子型フィルタ回路における相互変調歪が低減されている。
【図面の簡単な説明】
【００２４】
【図１】本発明の第１実施形態にかかる分波器１００の等価回路図である。
【図２】比較例にかかる分波器５００の等価回路図である。
【図３】図１に示した本発明にかかる分波器１００の通過特性と、図２に示した比較例にかかる分波器５００の通過特性とを示したグラフである。
【図４】図１に示した本発明にかかる分波器１００の相互変調歪特性と、図２に示した比較例にかかる分波器５００の相互変調歪特性とを示したグラフである。
【図５】本発明の第２実施形態にかかる分波器２００の等価回路図である。
【図６】本発明の第３実施形態にかかる分波器３００の等価回路図である。
【図７】図６に示した本発明にかかる分波器３００の通過特性と、図２に示した比較例にかかる分波器５００の通過特性とを示したグラフである。
【図８】図６に示した本発明にかかる分波器３００の相互変調歪特性と、図２に示した比較例にかかる分波器５００の相互変調歪特性とを示したグラフである。
【図９】特許文献１に開示された分波器４００の等価回路図である。
【発明を実施するための形態】
【００２５】
以下、図面とともに、本発明を実施するための形態について説明する。
【００２６】
［第１実施形態］
図１に、本発明の第１実施形態にかかる分波器１００の等価回路図を示す。
【００２７】
分波器１００は、アンテナ端子Ａｎｔ．と、送信側端子Ｔｘと、第１の受信側端子Ｒｘ１と、第２の受信側端子Ｒｘ２とを備える。また、分波器１００は、第１の接続点Ｊ１と、１対の第２の接続点Ｊ２Ａ、Ｊ２Ｂと、第３の接続点Ｊ３とを備える。
【００２８】
分波器１００は、第１のフィルタ回路として、所定の通過特性を有する送信側フィルタ回路１を備える。本実施形態においては、送信側フィルタ１はラダー型ＳＡＷフィルタ回路であり、直列腕共振子Ｓ１、Ｓ２、Ｓ３、Ｓ４と、直列腕共振子Ｓ１とＳ２の接続点に接続された並列腕共振子Ｐ１と、直列腕共振子Ｓ２とＳ３の接続点に接続された並列腕共振子Ｐ２と、直列腕共振子Ｓ３とＳ４の接続点に接続された並列腕共振子Ｐ３と、並列腕共振子Ｐ１と接地電位との間に挿入されたインダクタンス素子Ｌ１と、並列腕共振子Ｐ２と接地電位との間に挿入されたインダクタンス素子Ｌ２と、並列腕共振子Ｐ３と接地電位との間に挿入されたインダクタンス素子Ｌ３とを備える。
【００２９】
分波器１００は、第２のフィルタ回路として、所定の通過特性を有する受信側フィルタ回路２を備える。本実施形態においては、受信側フィルタ回路２はバランス型の縦結合共振子型ＳＡＷフィルタ回路であり、第１の縦結合共振子型フィルタ２Ａと第２の縦結合共振子型フィルタ２Ｂとを備える。
【００３０】
分波器１００は、受信側フィルタ回路２のアンテナ側に、共振子が挿入されている。共振子は、受信側回路の通過帯域の低周波側の外側に反共振周波数が位置し、受信側回路にとって不要な帯域をより減衰させるとともに、送信側回路における挿入損失の悪化を抑えるためのものである。本実施形態においては、共振子は、互いに実質的に同様な周波数特性を有する第１の共振子３Ａと第２の共振子３Ｂとを備える。
【００３１】
アンテナ端子Ａｎｔ．は、第１の接続点Ｊ１に接続されている。
【００３２】
第１の接続点Ｊ１は、第１のフィルタ回路とした送信側フィルタ回路１の一端に接続されている。
【００３３】
また、第１の接続点Ｊ１は、共振子を介して、第２のフィルタ回路とした受信側フィルタ回路２の一端に接続されている。具体的には、第１の接続点Ｊ１が第３の接続点Ｊ３に接続され、第３の接続点Ｊ３が第１の共振子３Ａの一端と第２の共振子３Ｂの一端とに接続されている。そして、第１の共振子３Ａの他端が、一方の第２の接続点Ｊ２Ａにおいて、第１の縦結合共振子型フィルタ２Ａの一端に接続され、第２の共振子３Ｂの他端が、他方の第２の接続点Ｊ２Ｂにおいて、第２の縦結合共振子型フィルタ２Ｂの一端に接続されている。
【００３４】
分波器１００は、本発明の特徴的な構成要素として、第２のフィルタ回路とした受信側フィルタ回路２の通過帯域に阻止帯域を有する低周波数帯域通過回路を備える。低周波数帯域通過回路は、上述の低周波の成分を、接地電位に逃がすためのものである。本実施形態においては、低周波数帯域通過回路は、第１の低周波数帯域通過回路４Ａと第２の低周波数帯域通過回路４Ｂとを備える。本実施形態においては、第１の低周波数帯域通過回路４Ａと第２の低周波数帯域通過回路４Ｂは、それぞれインダクタンス素子からなる。第１の低周波数帯域通過回路４Ａは、一方の第２の接続点Ｊ２Ａと、接地電位との間に挿入されている。また、第２の低周波数帯域通過回路４Ｂは、他方の第２の接続点Ｊ２Ｂと、接地電位との間に挿入されている。
【００３５】
分波器１００は、アンテナ端子Ａｎｔ．と第１の接続点Ｊ１との間と、接地電位との間に、インピーダンスマッチング用のインダクタンス素子Ｌ４が挿入されている。また、送信側フィルタ回路１の他端に送信側端子Ｔｘが、第１の縦結合共振子型フィルタ２Ａの他端に第１の受信側端子Ｒｘ１が、第２の縦結合共振子型フィルタ２Ｂの他端に第２の受信側端子Ｒｘ２がそれぞれ接続されている。
【００３６】
以上の等価回路からなる分波器１００においては、上述の低周波の成分を、低周波数帯域通過回路（第１の低周波数帯域通過回路４Ａ、第２の低周波数帯域通過回路４Ｂ）によって接地電位に逃がすことができる。この結果、低周波の成分が、第１の共振子３Ａ及び第２の共振子３Ｂを含む共振子と、第１の縦結合共振子型フィルタ２Ａ及び第２の縦結合共振子型フィルタ２Ｂとを含む縦結合共振子型フィルタ回路と、の間に閉じこもってしまうことがなくなり、低周波の成分によって引き起こされていた相互変調歪が低減されている。また、分波器１００においては、第１の縦結合共振子型フィルタ２Ａの特性と、第２の縦結合共振子型フィルタ２Ｂの特性とのばらつきにより生じるバランス信号の平衡度の悪化を、第１の低周波数帯域通過回路４Ａの特性と、第２の低周波数帯域通過回路４Ｂの特性とを調整することにより是正することができる。
【００３７】
上記の等価回路からなる分波器１００は、例えば、次のような構造からなる。
【００３８】
分波器１００は、基板（図示せず）を備える。基板は、例えば、セラミック多層基板からなる。基板の内部には、送信側フィルタ回路１のインダクタンス素子Ｌ１、Ｌ２、Ｌ３と、第１の低周波数帯域通過回路（インダクタンス素子）４Ａと、第２の低周波数帯域通過回路（インダクタンス素子）４Ｂと、必要な配線とが形成されている。基板の表面には、必要なパッド電極と、必要な配線とが形成されている。基板の端部には、アンテナ端子Ａｎｔ．と、送信側端子Ｔｘと、第１の受信側端子Ｒｘ１と、第２の受信側端子Ｒｘ２とが形成されている。
【００３９】
分波器１００は、タンタル酸リチウムやニオブ酸リチウムなどからなる圧電基板上に、送信側フィルタ１の直列腕共振子Ｓ１、Ｓ２、Ｓ３、Ｓ４と、並列腕共振子Ｐ１、Ｐ２、Ｐ３と、必要な配線とが形成された第１のＳＡＷデバイス（図示せず）を備える。第１のＳＡＷデバイスは、上記基板の表面に設けられた所定のパッド電極と電気的に接続するように、フリップチップ実装されている。
【００４０】
分波器１００は、タンタル酸リチウムやニオブ酸リチウムなどからなる圧電基板上に、第１の縦結合共振子型フィルタ２Ａと、第２の縦結合共振子型フィルタ２Ｂと、第１の共振子３Ａと、第２の共振子３Ｂと、必要な配線とが形成された第２のＳＡＷデバイス（図示せず）を備える。第２のＳＡＷデバイスは、上記基板の表面に設けられた所定のパッド電極と電気的に接続するように、フリップチップ実装されている。
【００４１】
分波器１００は、インピーダンスマッチング用のインダクタンス素子Ｌ４をなすチップ型インダクタンス素子（図示せず）を備える。チップ型インダクタンス素子は、上記基板の表面に設けられた所定のパッド電極と電気的に接続するように実装されている。
【００４２】
以上のような構造からなる分波器１００は、例えば、現時点において一般に使用されている材料および製造方法により製造された、上記基板と、第１のＳＡＷデバイスと、第２のＳＡＷデバイスと、チップ型インダクタンス素子とを準備し、基板上に、第１のＳＡＷデバイスと、第２のＳＡＷデバイスと、チップ型インダクタンス素子とを実装することにより製造することができる。
【００４３】
本発明の有効性を確認するために、本実施形態にかかる分波器１００と、比較例にかかる分波器５００とを準備し、両者の電気的特性を比較した。
【００４４】
図２に、比較例にかかる分波器５００の等価回路図を示す。分波器５００は、図１に示した本実施形態にかかる分波器１００から、第１の低周波数帯域通過回路４Ａと第２の低周波数帯域通過回路４Ｂとを省略した構成からなる。分波器５００の他の構成は、分波器１００と同じである。
【００４５】
図３に、本実施形態にかかる分波器１００の通過特性と、比較例にかかる分波器５００の通過特性とを示す。なお、図３（Ａ）は、送信側端子Ｔｘからアンテナ端子Ａｎｔ．への通過特性、図３（Ｂ）は、アンテナ端子から平衡型の受信側端子Ｒｘ（Ｒｘ１、Ｒｘ２）への通過特性である。また、Ｒｘ１、Ｒｘ２は平衡型の受信側端子Ｒｘのそれぞれの信号を示す。図３から分かるように、分波器１００の通過特性と分波器５００の通過特性とは、ほぼ同等である。
【００４６】
図４に、本実施形態にかかる分波器１００の相互変調歪（ＩＭＤ）特性と、比較例にかかる分波器５００の相互変調歪特性とを示す。図４に、２Ｔｘ−Ｒｘ帯域内の妨害波を入力した場合、２１００ＭＨｚから２１８０ＭＨｚの周波数帯域であるＲｘ帯域内において、本実施形態によってＩＭＤが抑制できた結果を示す。図４から分かるように、測定した２１１０ＭＨｚから２１７０ＭＨｚの周波数領域において、分波器１００は分波器２００に対して相互変調歪が改善されている。
【００４７】
以上のように、本発明によれば、通過特性を維持したまま、相互変調歪を改善することができる。
【００４８】
なお、上記の図４では、Ｒｘ帯域内においてＩＭＤが抑制できていることを示しているが、同様に、２Ｔｘ−Ｒｘ、２Ｔｘ＋Ｒｘ、Ｔｘ−Ｒｘ、Ｔｘ＋Ｒｘ等のＲｘ帯域外においても、相互変調歪を低減させることが可能である。
【００４９】
以上、本発明の第１実施形態にかかる分波器１００について説明した。しかしながら、本発明が上述した内容に限定されることはなく、発明の趣旨に沿って、種々の変更をなすことができる。
【００５０】
分波器１００では、送信側フィルタ１をラダー型フィルタとしているが、これに限定されることはなく、他の種類のフィルタであっても良い。
【００５１】
また、分波器１００では、受信側フィルタ回路２をバランス型の縦結合共振子型フィルタ回路としているが、これに代えて、アンバランス型の縦結合共振子型フィルタ回路としても良い。
【００５２】
また、分波器１００では、共振子を第１の共振子３Ａと第２の共振子３Ｂとで構成し、低周波数帯域通過回路を第１の低周波数帯域通過回路４Ａと第２の低周波数帯域通過回路４Ｂとで構成しているが、それぞれを単独のものとし、共通の共振子、共通の低周波数帯域通過回路としても良い。
【００５３】
また、分波器１００では、別途、インピーダンスマッチング用のインダクタンス素子Ｌ４を備えているが、インダクタンス素子Ｌ４を省略し、インピーダンスマッチングの機能を、低周波数帯域通過回路（第１の低周波数帯域通過回路４Ａ、第２の低周波数帯域通過回路４Ｂ）にもたせるようにしても良い。
［第２実施形態］
図５に、本発明の第２実施形態にかかる分波器２００の等価回路図を示す。
【００５４】
図１に示す第１実施形態にかかる分波器１００では、共振子を第１の共振子３Ａと第２の共振子３Ｂとで構成し、低周波数帯域通過回路を第１の低周波数帯域通過回路４Ａと第２の低周波数帯域通過回路４Ｂとで構成していたが、第２実施形態にかかる分波器２００では、それぞれを単独のものとし、共通の共振子１３、共通の低周波数帯域通過回路１４とした。そして、共通の共振子１３と受信側フィルタ回路（第２のフィルタ回路）２との途中にある接続点Ｊ２と、接地電位との間に、共通の低周波数帯域通過回路１４が挿入されている。分波器２００の他の構成は、分波器１００と同じである。
【００５５】
分波器２００においても、相互変調歪を低減することができる。なお、分波器２００においては、共振子１３および低周波数帯域通過回路１４がそれぞれ単独であるため、これらを複数にした場合の、共振子ごとの特性ばらつきや、低周波数帯域通過回路ごとの特性ばらつきを問題にすることなく、共通の低周波数帯域通過回路１４の特性を調整することにより、バランス信号の平衡度を是正することができる。
［第３実施形態］
図６に、本発明の第３実施形態にかかる分波器３００の等価回路図を示す。
【００５６】
図１に示す第１実施形態にかかる分波器１００では、別途、インピーダンス整合用のインダクタンス素子Ｌ４を設けていたが、第３実施形態にかかる分波器３００では、インダクタンス素子Ｌ４を省略し、インピーダンス整合の機能を、低周波数帯域通過回路（第１の低周波数帯域通過回路４Ａ、第２の低周波数帯域通過回路４Ｂ）にもたせるようにした。インダクタンス素子Ｌ４を除く分波器３００の他の構成は、分波器１００と同じである。
【００５７】
図７に、本実施形態にかかる分波器３００の通過特性と、図２に示した比較例にかかる分波器５００の通過特性とを示す。図７から分かるように、分波器３００の通過特性と分波器５００の通過特性とは、ほぼ同等である。
【００５８】
図８に、本実施形態にかかる分波器３００の相互変調歪特性と、比較例にかかる分波器５００の相互変調歪特性とを示す。図８から分かるように、測定した２１１０ＭＨｚから２１７０ＭＨｚの周波数領域において、分波器３００は分波器５００に対して相互変調歪が改善されている。
【００５９】
なお、図４と図８とを対比して分かるように、図６に示した第３実施形態にかかる分波器３００は、図１に示した第１実施形態にかかる分波器１００よりも、相互変調歪の改善度が高くなっている。これは、以下の理由による。
【００６０】
すなわち、インダクタンス素子Ｌ４を省略し、インピーダンス整合の機能を、第１の低周波数帯域通過回路４Ａと第２の低周波数帯域通過回路４Ｂとにもたせるようにした分波器３００では、インピーダンス整合の機能を持たせずにインダクタンス素子Ｌ４を追加した場合に比べて、第１の低周波数帯域通過回路４Ａと第２の低周波数帯域通過回路４Ｂのインダクタンス値をより小さくすることができ、それによってインピーダンスも下がり、結果低周波の成分を接地電位により流すことができるためである。
【符号の説明】
【００６１】
１：送信側フィルタ回路（第１のフィルタ回路）
２：受信側フィルタ回路（第２のフィルタ回路）
３Ａ：第１の共振子
３Ｂ：第２の共振子
１３：（共通の）共振子
４Ａ：第１の低周波数帯域通過回路
４Ｂ：第２の低周波数帯域通過回路
１４：（共通の）低周波数帯域通過回路
Ａｎｔ．：アンテナ端子
Ｔｘ：送信側端子
Ｒｘ１：第１の受信側端子
Ｒｘ２：第２の受信側端子
Ｊ１：第１の接続点
Ｊ２：第２の接続点
Ｊ２Ａ：一方の第２の接続点
Ｊ２Ｂ：他方の第２の接続点
Ｊ３：第３の接続点
【図１】
2014061694.tif 000003
【図２】
2014061694.tif 000004
【図３】
2014061694.tif 000005
【図４】
2014061694.tif 000006
【図５】
2014061694.tif 000007
【図６】
2014061694.tif 000008
【図７】
2014061694.tif 000009
【図８】
2014061694.tif 000010
【図９】
2014061694.tif 000011
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
アンテナ端子と、
第１の通過帯域を有する第１のフィルタ回路と、
前記第１の通過帯域を含まず、かつ、前記第１の通過帯域よりも周波数が高い第２の通過帯域を有する第２のフィルタ回路と、を備え、
前記アンテナ端子と、前記第１のフィルタ回路と、前記第２のフィルタ回路とが第１の接続点で接続されたアンテナ分波器であって、
前記第２のフィルタ回路は、第１の縦結合共振子型フィルタと第２の縦結合共振子型フィルタとを含むバランス型の縦結合共振子型フィルタ回路であって、
前記アンテナ分波器は、前記第１の接続点と前記縦結合共振子型フィルタ回路との間に挿入される共振子と、
前記共振子と前記縦結合共振子型フィルタ回路との接続点である第２の接続点と、接地電位との間に挿入され、かつ、前記第２の通過帯域に阻止帯域を有する低周波数帯域通過回路とをさらに備え、
前記共振子は、互いに反共振点が前記第２の通過帯域外の低域側であって前記第１の通過帯域に配置された周波数特性を有する第１の共振子と第２の共振子とを含んでおり、
前記低周波数帯域通過回路は、互いに前記第１の通過帯域の周波数成分を通過させる周波数特性を有する第１の低周波数帯域通過回路と第２の低周波数帯域通過回路とを含んでおり、
前記低周波数帯域通過回路は、インダクタンス素子のみからなり、
前記第１の接続点と、前記第１の共振子と、前記第２の共振子とが第３の接続点で接続され、
前記第２の接続点は、前記第１の共振子と前記第１の縦結合共振子型フィルタとの接続点である一方の第２の接続点と、前記第２の共振子と前記第２の縦結合共振子型フィルタとの接続点である他方の第２の接続点とを含み、
前記一方の第２の接続点と、接地電位との間に、前記第１の低周波数帯域通過回路が挿入され、
前記他方の第２の接続点と、接地電位との間に、前記第２の低周波数帯域通過回路が挿入されている、アンテナ分波器。
【請求項２】
アンテナ端子と、
第１の通過帯域を有する第１のフィルタ回路と、
前記第１の通過帯域を含まず、かつ、前記第１の通過帯域よりも周波数が高い第２の通過帯域を有する第２のフィルタ回路と、を備え、
前記アンテナ端子と、前記第１のフィルタ回路と、前記第２のフィルタ回路とが第１の接続点で接続されたアンテナ分波器であって、
前記第２のフィルタ回路は、第１の縦結合共振子型フィルタと第２の縦結合共振子型フィルタとを含むバランス型の縦結合共振子型フィルタ回路であって、
前記アンテナ分波器は、前記第１の接続点と前記縦結合共振子型フィルタ回路との間に挿入される共振子と、
前記共振子と前記縦結合共振子型フィルタ回路との接続点である第２の接続点と、接地電位との間に挿入され、かつ、前記第２の通過帯域に阻止帯域を有する低周波数帯域通過回路とをさらに備え、
前記低周波数帯域通過回路は、インダクタンス素子のみからなる、アンテナ分波器。
【請求項３】
前記第１のフィルタ回路が送信側フィルタ回路であり、前記第２のフィルタ回路が受信側フィルタ回路である、請求項１または２に記載されたアンテナ分波器。
【手続補正２】
【補正対象書類名】明細書
【補正対象項目名】００１７
【補正方法】変更
【補正の内容】
【００１７】
その手段として、本発明のアンテナ分波器は、アンテナ端子と、第１の通過帯域を有する第１のフィルタ回路と、第１の通過帯域を含まず、かつ、第１の通過帯域よりも周波数が高い第２の通過帯域を有する第２のフィルタ回路とを備え、アンテナ端子と、第１のフィルタ回路と、第２のフィルタ回路とが第１の接続点で接続され、第２のフィルタ回路は、縦結合共振子型フィルタ回路を含み、第１の接続点と縦結合共振子型フィルタ回路との間に挿入される共振子と、共振子と縦結合共振子型フィルタ回路との接続点である第２の接続点と、接地電位との間に挿入され、かつ、第２の通過帯域に阻止帯域を有する低周波数帯域通過回路と、を備えることを特徴とする。
【手続補正３】
【補正対象書類名】明細書
【補正対象項目名】００１８
【補正方法】変更
【補正の内容】
【００１８】
本発明のアンテナ分波器は、たとえば、第２のフィルタ回路の縦結合共振子型フィルタ回路が、バランス型の縦結合共振子型フィルタ回路であって、第１の縦結合共振子型フィルタと第２の縦結合共振子型フィルタとを含み、共振子が、互いに実質的に同様な周波数特性を有する第１の共振子と第２の共振子とを含み、低周波数帯域通過回路が、互いに実質的に同様な周波数特性を有する第１の低周波数帯域通過回路と第２の低周波数帯域通過回路とを含み、第１の接続点と、第１の共振子と、第２の共振子とが第３の接続点で接続され、第２の接続点が、第１の共振子と第１の縦結合共振子型フィルタとの接続点である一方の第２の接続点と、第２の共振子と第２の縦結合共振子型フィルタとの接続点である他方の第２の接続点とを含み、一方の第２の接続点と、接地電位との間に、第１の低周波数帯域通過回路が挿入され、他方の第２の接続点と、接地電位との間に、第２の低周波数帯域通過回路が挿入されたものとすることができる。この場合には、第１の縦結合共振子型フィルタの特性と、第２の縦結合共振子型フィルタの特性とのばらつきにより生じるバランス信号の平衡度の悪化を、第１の低周波数帯域通過回路の特性と、第２の低周波数帯域通過回路の特性とを調整することにより是正することができる。
【手続補正４】
【補正対象書類名】図面
【補正対象項目名】図３
【補正方法】変更
【補正の内容】
【図３】
2014061694.tif 000012
【手続補正５】
【補正対象書類名】図面
【補正対象項目名】図７
【補正方法】変更
【補正の内容】
【図７】
2014061694.tif 000013
【国際調査報告】
2014061694.tif 000014
2014061694.tif 000015
2014061694.tif 000016
2014061694.tif 000017